(57)【要約】【課題】調理台での油料理の際、熱油の飛散による火傷や周囲の汚れを防ぎ、洗面台使用の際両サイドに飛び散る水を防ぐ防護壁で、重要なのは十分な防護を果たしコンパクトで取り扱いが簡単、丈夫で長持ちメンテナンスも容易、さらに魅力的な商品でなければ成らないスライド式扇状開閉シャッター。【解決手段】コンパクトで取り扱いもメンテナンスも簡単かつ魅力的な装置にするために、形状を半扇状にし、扇の手元を中心に複数枚のパネルに分割し、その分割パネルそれぞれに前列のパネルを組み合わせスライドさせるための部材を加工する、その分割パネルを順に重ね合わせ手元をボルト等で縫い合わせ作用点とすることで、スライドさせながら回転運動させることが可能になり、コンパクトで簡単に開閉できる魅力的なスライド式扇状開閉シャッターとなった。【選択図】図１
0003159982.tif 000002
【実用新案登録請求の範囲】
【請求項１】
公案のスライド式扇状開閉シャッターは、洗面化粧台調理台シンクやコンロ台の片側または両側側面に取付け使用することで、水や油の避散を防ぐ物であって、複数のパネルを重ね合せ固定点で固定し回転軸とすることで、組合されたパネルが扇状にスライド開閉できることを特徴とする防護壁に関するスライド式扇状開閉シャッター。
【請求項２】
１枚の扇状パネルをスライド開閉可能とするため、固定点を基準に放射状に複数枚に分割させる、分割した複数のパネルの固定点をボルト等で縫い合わせ回転軸とし、パネル先端を円運動させることでスライド開閉可能な請求項１記載のスライド式扇状開閉シャッター。
【請求項３】
分割した複数枚の扇状パネルは、それぞれ扇の弧の左右に他のパネルを握り込みスライドさせるための鍵爪と凸状のストッパーを設け、固定点に当たる部分にボルト等を通す穴が加工されている、また各パネルの長さを順に長くすることで鍵爪同士の連なりをなくし、最長のパネル側面に他パネルを順に押し上げ収納するためのピンを設ける事でコンパクト収納可能な請求項１または請求項２記載のスライド式扇状開閉シャッター。
【請求項４】
考案のスライド式扇状シャッター本体を収納する基本ケース及びケースにシャッター本体を固定し引き出すための固定パネルを設け、最短の分割パネルにスライド可能とする固定パネルを取り付けることを特徴とする請求項２または請求項３記載のスライド式扇状開閉シャッター。
【請求項５】
固定パネルと最短の分割パネルとの組合せ手段は、分割パネル凸状ストッパーと反対側側辺の上下に固定パネルを握り込みスライドさせるための鍵爪を設け、固定パネル上下辺の片側には、分割パネル鍵爪で握り込みスライドし引き出す際鍵爪を掛け止めるための凸状ストッパーを設けることで解決可能な請求項４記載のスライド式扇状開閉シャッター。
【請求項６】
収納基本ケースと固定パネルの取り付け手段は、固定パネル凸上ストッパーと反対側側辺の上下２ヶ所に収納基本ケースに固定するための凸状部材を設け、さらに収納基本ケース背中に当たる面の内側に、固定パネルの凸状部材がスライドしてはめ込み出来る溝幅の凹状部材を、固定パネルの凸状部材と同間隔に上下２段に取り付ける、但し２段目の凹状部材の底面にはスライドを止めるための底板を有する、固定パネル凸状部材を基本ケース凹状部材に沿って上下にスライドさせることで容易に取り付け取り外しが出来ることを特徴とする請求項５記載のスライド式扇状開閉シャッター。
【考案の詳細な説明】
【技術分野】
【０００１】
本考案は、厨房の調理台シンクやコンロ台、洗面ユニット洗面台の片側または両側側面にセットし使用することで、油料理による熱を遮断し油の飛散を防ぎ、皿洗いや洗髪等による水の飛散を防ぐ、さらに外観的にも魅力的で容易にセットできコンパクトで開閉収納可能な防護壁に関するもの。                                                      
【背景技術】
【０００２】
厨房でガスや電気コンロでの油料理による熱油の飛散で、火傷を負ったり調理台やその周辺を汚す、又洗面台での洗顔や洗い物、シャワーでの洗髪による水の飛散が調理台や洗面台の上や廻りを濡らす問題が有った。
【０００３】
ビニールシートやアルミジャバラ製の折りたたみ形の防水製品や、金属平板の組み合わせによる箱体の防油の製品や、アルミホイールによる簡易製品は有るが、不安定で目的を十分に果たしてない物や、必要でない時容易に収納できない物、外観的にもメンテナンスの面でも改善の余地が有るものばかりで、必要なとき容易に開閉でき丈夫でメンテも簡単で魅力的な防油防水壁製品が無かった。
【先行技術文献】
【特許文献】
【０００４】
【特許文献１】実開平３−１１５５１５号公報
【特許文献２】実開平６−４４９０５号公
【特許文献３】特開平７−２０９５８号公報
【考案の開示】
【考案が解決しようとする課題】
【０００５】
厨房コンロ台で油料理の際、洗面台で洗面洗髪の際、熱油や水の飛び散りを防ぐ商品が少ないのは、実用的で魅力的な面が解決されていなかった。
【課題を解決するための手段】
【０００６】
厨房のガスコンロや電気コンロ台と調理台との間や、洗面化粧台の洗面台に接する部分の両サイドの限られたスペースの中にコンパクトにセットし、見た目も良く、操作も簡単で役割も十分に果たせるものでないと商品として通用しないことから、それらを解決するため、金属製又は硬質樹脂製の長方形の薄いパネルの不必要な部分を取り除いたことで扇状形に成、扇状パネルを扇の手元に当たる部分から弧にかけ複数枚に分割させ、分割されたそれぞれのパネルの弧に当たる辺の左右の端に、パネル同士を組み合わせスライドさせるためのカギ爪と、スライドしてきた他のパネルの鍵爪を掛け止めするための凸状ストッパーを設ける、またスライドの際それぞれのパネルの鍵爪が列ならないよう、分割パネルの長さを順に長くする、さらに扇の手元に当たる部分に重ね組みさせたパネルを弧の形にスライドさせるため作用点となるボルトを通す為の穴を開ける、それらの分割パネルを順に重ね組みしボルトで縫い合わせ、ボルトを中心に円運動させることでコンパクトにスライド開閉可能と成り魅力的スライド式扇状開閉シャッターとなる。
【０００７】
本考案の装置は、基本ケースと固定パネル及び複数の長さの異なる分割パネルの組み合わせから構成されている、まず固定パネルに最短の分割パネルのカギ爪を掛け組み込む、後は短いパネルから順に前列パネルの弧の辺にカギ爪を掛け組み合わせる、最後にそれぞれの分割パネルの根元に開けられた穴にボルト等で縫い合わせることで扇状シャッターが組みあがる、次に固定パネルに加工された上下２箇所の凸状部材を、基本ケースに加工された上下２箇所の凹状部材にスライドして差込固定する、後は使用用途に合った別部材に基本ケースを組み合わせ収納固定する、清掃も簡単でシャッター部分をケースから取り外し、そのまま洗剤水に付け込むことで処理することが出来るスライド式扇状開閉シャッター。
【考案の効果】
【０００８】
スライド式扇状開閉シャッターは、調理の際コンロと調理台の間や、洗面台の両サイドにセット使用することで、熱油による火傷を減らし油や水の飛散を防ぐ、作業終了後は簡単に収納できる。
【考案を実施するための最良の形態】
【０００９】
本考案は、調理台や洗面台で簡単に利用でき、取替えの必要も無くメンテナンスも容易にでき、周りとの調和も損なわない形で実現した。
【実施例１】
【００１０】
図１は、スライド式扇情開閉シャッターを開いた状態の正面及び側面詳細図。
【００１１】
図２は、スライド式扇状開閉シャッターを閉じた状態の正面側面及び上面詳細図。
【００１２】
図３は、固定パネル及び扇状分割パネル解体図
【００１３】
図４は、スライド式扇状開閉シャッターを収納する為の基本ケース及びシャッター固定パネルを、スライドして取り付け取り外しする為の凹状部材取り付け詳細図。
【００１４】
図５は、分割パネル同士を組み合わせスライドさせる為の鍵爪及びスライドした鍵爪を掛けるための凸状ストッパーの詳細図及び基本ケースと扇状シャッターの取り付け要領図。
【００１５】
図６は、スライド式扇状開閉シャッターを順に開閉動作する展開図。
【００１６】
図７は、スライド式扇状開閉シャッター実装予想図。
【産業上の利用可能性】
【００１７】
本考案は、台所コンロ台と調理台の間や調理台と流しシンクの間にセットすることで、洗面化粧台の両サイドに組み込み使用することで、熱油や水の飛散を防ぎ、火傷や周りの油汚れや水濡れをなくす。
【００１８】
装置は、単純な構造なので操作も取付け取外しも簡単、その分故障率も少なくメンテナンスも容易でコストも掛からないし外観も優れている。
【００１９】
用途に応じた材質で作成することや、着色し取付け場所にマッチする色を選択出来るようにしたり模様等をデザインする事で、やさしくファショナブルに利用できる。
【図面の簡単な説明】
【００２０】
【図１】スライド式扇状開閉シャッター開状態図
【図２】スライド式扇状開閉シャッター閉状態図
【図３】使用パネル分割詳細図
【図４】基本ケース詳細図
【図５】パネル組み込み状況及びケース取り付け状況図
【図６】スライド開閉動作展開図
【図７】実施予想図
【符号の説明】
【００２１】
１    スライド式扇状開閉シャッター
２    固定パネル
３    分割パネル１
４    分割パネル２
５    分割パネル３
６    分割パネル４
７    分割パネル５
８    分割パネル６
９    分割パネル７
１０    分割パネル８
１１    パネル組合ボルト
１２    固定パネル取付け凸部
１３    基本ケース
１４    振止め金具
１５    基本ケース固定金具
３ａ  分割パネル３スライド用鍵爪
４ａ  分割パネル４スライド用鍵爪
５ａ  分割パネル５スライド用鍵爪
６ａ  分割パネル６スライド用鍵爪
７ａ  分割パネル７スライド用鍵爪
８ａ  分割パネル８スライド用鍵爪
９ａ  分割パネル９スライド用鍵爪
１０ａ  分割パネル１０スライド用鍵爪
１３ａ  基本ケース上部凹状部材
２ｂ  固定パネル凸状ストッパー
３ｂ  分割パネル３用凸状ストッパー
４ｂ  分割パネル４用凸状ストッパー
５ｂ  分割パネル５用凸状ストッパー
６ｂ  分割パネル６用凸状ストッパー
７ｂ  分割パネル７用凸状ストッパー
８ｂ  分割パネル８用凸状ストッパー
９ｂ  分割パネル９用凸状ストッパー
１０ｂ  分割パネル１０用凸状ストッパー
１３ｂ  基本ケース下部凹状部材
１０ｃ  収納ピン
【図１】
0003159982.tif 000003
【図２】
0003159982.tif 000004
【図３】
0003159982.tif 000005
【図４】
0003159982.tif 000006
【図５】
0003159982.tif 000007
【図６】
0003159982.tif 000008
【図７】
0003159982.tif 000009
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
スライド式扇状開閉シャッターは、洗面化粧台調理台シンクやコンロ台の片側または両側側面に取付け使用することで、水や油の避散を防ぐ物であって、複数のパネルを重ね合せ固定点で固定し回転軸とすることで、組合されたパネルが扇状にスライド開閉できることを特徴とする防護壁に関するスライド式扇状開閉シャッター。
【請求項２】
１枚の扇状パネルをスライド開閉可能とするため、固定点を基準に放射状に複数枚に分割させる、分割した複数のパネルの固定点にボルトを通すための穴を開け互いを重ね合わせ固定する、ボルトを回転軸とする事でパネル先端を円運動させスライド開閉可能な請求項１記載のスライド式扇状開閉シャッター。
【請求項３】
分割した複数枚の扇状パネルは、それぞれ扇の弧の左右に他のパネルを握り込みスライドさせるための鍵爪と凸状のストッパーを設け、固定点に当たる部分にボルト等を通す穴が加工されている、また各パネルの長さを順に長くすることで鍵爪同士の連なりをなくし、最長のパネル側面に他パネルを順に押し上げ収納するためのピンを設ける事でコンパクト収納可能な請求項２記載のスライド式扇状開閉シャッター。
【請求項４】
スライド式扇状シャッター本体を収納する基本ケース及びケースにシャッター本体を固定し引き出すための固定パネルを設け、最短の分割パネルにスライド可能とする固定パネルを取り付けることを特徴とする請求項３記載のスライド式扇状開閉シャッター。
【請求項５】
固定パネルと最短の分割パネルとの組合せ手段は、最短の分割パネルの固定パネル側側辺の上下に固定パネルを握り込みスライドさせるための鍵爪を設け、固定パネル上下辺の片側には、最短の分割パネルに設けられた鍵爪で握り込みスライドし引き出す際鍵爪を掛け止めるための凸状ストッパーを設けることを特徴とする請求項４記載のスライド式扇状開閉シャッター。
【請求項６】
収納基本ケースと固定パネルの取り付け手段は、固定パネル凸状ストッパーと反対側側辺の上下２ヶ所に収納基本ケースに固定するための凸状部材を設け、さらに収納基本ケース背中に当たる面の内側に、固定パネルの凸状部材がスライドしてはめ込み出来る溝幅の凹状部材を、固定パネルの凸状部材と同間隔に上下２段に取り付ける、２段目の凹状部材の底面にはスライドを止めるための底板を有する、固定パネル凸状部材を基本ケース凹状部材に沿って上下にスライドさせることで容易に取り付け取り外しが出来ることを特徴とする請求項５記載のスライド式扇状開閉シャッター。